(57)【特許請求の範囲】
【請求項１】
音声帯域信号の伝送のみを補償する音声帯域通信装置と、その音声帯域通信装置との間で音声帯域信号の通信を回線を介して行なう音声帯域通信端末とが、配線新設困難区間を隔てて配置された既存の構内通信設備に、前記音声帯域信号と共に前記音声帯域信号よりも周波数の高いキャリア信号の通信を行なわせる構内配線方法であって、
前記配線新設困難区間より前記音声帯域通信端末側に、キャリア信号通信装置との前記キャリア信号の通信および前記音声帯域通信端末との前記音声帯域信号の通信とを行ない、それらキャリア信号と音声帯域信号とを周波数多重して前記音声帯域通信装置へ出力し、また前記周波数多重された信号を前記キャリア信号と前記音声帯域信号とに分離した後、キャリア信号を前記キャリア信号通信装置へ出力し、音声帯域信号を前記音声帯域通信端末に出力する、周波数多重分離手段を配置し、
前記音声帯域通信装置の入力側と出力側のそれぞれに周波数の低い前記音声帯域信号のみを通過させる遮蔽手段を配置し、
さらに、前記入力側の前記遮蔽手段に入力する信号を受け付けて、前記周波数の高いキャリア信号のみを通過させ、当該キャリア信号を前記遮蔽手段の前記音声帯域信号の出力側に出力するバイパス手段を、前記配線新設困難区間よりも前記音声帯域通信装置側に配置する
ことを特徴とする構内配線方法。
【請求項２】
音声帯域信号の伝送のみを補償する音声帯域通信装置と、その音声帯域通信装置との間で音声帯域信号の通信を回線を介して行なう音声帯域通信端末とが、配線新設困難区間を隔てて配置された既存の構内通信設備に、前記音声帯域信号と共に前記音声帯域信号よりも周波数の高いキャリア信号の通信を行なわせた構内配線装置であって、
前記配線新設困難区間より前記音声帯域通信端末側に配置され、キャリア信号通信装置との前記キャリア信号の通信および前記音声帯域通信端末との前記音声帯域信号の通信とを行ない、それらキャリア信号と音声帯域信号とを周波数多重して前記音声帯域通信装置へ出力し、また前記周波数多重された信号を前記キャリア信号と前記音声帯域信号とに分離した後、キャリア信号を前記キャリア信号通信装置へ出力し、音声帯域信号を前記音声帯域通信端末に出力する、周波数多重分離手段と、
前記音声帯域通信装置の入力側と出力側のそれぞれに配置され、周波数の低い前記音声帯域信号のみを通過させる遮蔽手段と、
前記配線新設困難区間よりも前記音声帯域通信装置側に配置され、前記入力側の前記遮蔽手段に入力する信号を受け付けて、前記周波数の高いキャリア信号のみを通過させ、当該キャリア信号を前記遮蔽手段の前記音声帯域信号の出力側に出力するバイパス手段と、
からなる構内配線装置。
【請求項３】
前記遮断手段は、音声帯域通信装置に対して直列に接続されたローパスフィルタであり、前記バイパス手段は、音声帯域通信装置に対して並列に接続されたハイパスフィルタであることを特徴とする請求項２記載の構内配線装置。
【発明の詳細な説明】
【０００１】
【発明の属する技術分野】
本発明は、既存の音声帯域通信設備にｘＤＳＬ技術を適用して、音声帯域信号を用いた通信と、高速デジタルデータ通信とを同時に可能とする際の構内配線方法および構内配線装置に関するものである。
【０００２】
【従来の技術】
近年、電話線等のメタル・ケーブル（銅線ケーブル）により数Ｍｂｉｔ／ｓｅｃの高速データ伝送を可能とするＤＳＬ（Ｄｉｇｉｔａｌ  Ｓｕｂｓｃｒｉｂｅｒ  Ｌｉｎｅ）  という技術に強い関心が集まっている。このＤＳＬと呼ばれる技術には、電話局からユーザ宅への下り方向のデータ伝送速度と、その反対方向である上り方向のデータ伝送速度が異なる非対称のＡＤＳＬ（Ａｓｙｍｍｅｔｒｉｃ  ＤＳＬ）、ＶＤＳＬ（Ｖｅｒｙ  ｈｉｇｈ  ｂｉｔ  ｒａｔｅ  ＤＳＬ）や、上りと下りが対称となるＳＤＳＬ（Ｓｉｎｇｌｅ  ｌｉｎｅ  ＤＳＬ）、ＨＤＳＬ（Ｈｉｇｈ  ｂｉｔ  ｒａｔｅ  ＤＳＬ）等がある。そして、これら様々なＤＳＬの技術を総称してｘＤＳＬと呼んでいる。
【０００３】
また、ｘＤＳＬの中には、電話の音声帯域信号が使用する周波数帯域（４ｋＨｚまで）よりも高い周波数帯域を利用してデジタルデータの伝送を行い、上記音声信号と周波数多重することで、１本の電話回線により通話とデジタルデータ通信の双方を可能とするものもある。
【０００４】
【発明が解決しようとする課題】
ところで、図３に示すように、音声帯域通信装置（例えば、ＮＣＣアダプタ、各種警報信号出力装置、構内交換機等）１０と、音声帯域通信端末（例えば、各種警報器、電話機等）１１とからなり、ユーザ側の構内に既に設置されている既存の構内通信設備（音声帯域信号を用いて通信を可能とする設備）に対し、上述したようなｘＤＳＬ技術を用いて通話と高速データ通信とを、同時に行うことを可能とする場合、例えば、図４に示すような新規設備の追加および配線の新設が必要となる。
【０００５】
ここで、図３に示す音声帯域通信装置１０と音声帯域通信端末１１とを接続している配線は、構内配線新設困難区間（例えば構内のコンクリート壁等）を通して敷設されているものとする。
【０００６】
すなわち、図４に示すように、まず、局側から出力される音声帯域信号とｘＤＳＬ信号とが周波数多重された信号を、各々の信号に分離し、また、音声帯域通信端末１１およびユーザ端末１４側からそれぞれ出力される音声帯域信号とｘＤＳＬ信号とを周波数多重して局側へ出力するＰＯＴＳスプリッタ１２を、音声帯域通信装置１０と音声帯域通信端末１１との間に設ける。
【０００７】
ここで、音声帯域信号は、４ｋＨｚまでの周波数帯域を有し、ｘＤＳＬ信号は、周波数帯域が３０ｋＨｚ〜１ＭＨｚで、ＱＡＭ（デジタル直行振幅変調）変調方式によりデジタルデータをキャリア信号に乗せてアナログ信号に変換した信号とする。また、ＰＯＴＳスプリッタ１２は、構内配線新設困難区間に新たな配線を敷設することが非常に困難であるため、構内配線新設困難区間よりも音声帯域通信端末１１側に設けている。
【０００８】
そして、既存の配線をそのまま利用して、ＰＯＴＳスプリッタ１２の音声帯域信号出力側（図４中、Ａ側）に音声帯域通信端末１１を接続し、また、ＰＯＴＳスプリッタ１２のｘＤＳＬ信号出力側（図４中、Ｂ側）に、新たに敷設した配線（図４中点線で示す）を用いてｘＤＳＬ宅内装置（例えば、ｘＤＳＬ信号通信用のモデム）１３およびユーザ端末（例えば、パソコン）１４を接続する。
【０００９】
しかしながら、図４に示すような設備の追加を行ったとしても、従来の音声帯域通信装置１０は、通常、音声帯域信号の周波数帯域（約４ｋＨｚまで）の通過帯域しかサポートしていない。このため、ｘＤＳＬ信号の伝送が補償されないばかりでなく、ｘＤＳＬ信号の劣化や、音声帯域通信装置１０に誤動作や故障を起こさせる等の悪影響を及ぼす恐れがあり、ｘＤＳＬ技術の利用が困難であった。
【００１０】
そこで、従来は、図５に示すように、ＰＯＴＳスプリッタ１２を音声帯域通信装置１０よりも局側に設置する必要があった。しかしながら、これを実施しようとすると、例えば音声帯域通信装置１０の移動が困難な場合、ｘＤＳＬ信号用構内配線の新設区間が増加し、また、ｘＤＳＬ宅内装置１３およびユーザ端末１４の設置場所との間に、コンクリート壁等の構内配線新設困難区間があると、配線用配管が敷設されていない場合、コンクリート壁に穴を開ける等の工事が必要となり、費用が増加するという欠点があった。
【００１１】
本発明は、上述した事情を鑑みてなされたものであり、ｘＤＳＬ技術を用いて既存の音声帯域通信設備を活かしたまま高速データ通信をも可能とする場合において、既存設備の設置場所等の状態を変更することなく、かつ、新設する構内配線を極力少なくすることができる構内配線方法および構内配線装置を提供することを目的としている。
【００１２】
【課題を解決するための手段】
本発明は、上述の課題を解決すべくなされたもので、音声帯域信号の伝送のみを補償する音声帯域通信装置と、その音声帯域通信装置との間で音声帯域信号の通信を回線を介して行なう音声帯域通信端末とが、配線新設困難区間を隔てて配置された既存の構内通信設備に、前記音声帯域信号と共に前記音声帯域信号よりも周波数の高いキャリア信号の通信を行なわせる構内配線方法であって、前記配線新設困難区間より前記音声帯域通信端末側に、キャリア信号通信装置との前記キャリア信号の通信および前記音声帯域通信端末との前記音声帯域信号の通信とを行ない、それらキャリア信号と音声帯域信号とを周波数多重して前記音声帯域通信装置へ出力し、また前記周波数多重された信号を前記キャリア信号と前記音声帯域信号とに分離した後、キャリア信号を前記キャリア信号通信装置へ出力し、音声帯域信号を前記音声帯域通信端末に出力する、周波数多重分離手段を配置し、前記音声帯域通信装置の入力側と出力側のそれぞれに周波数の低い前記音声帯域信号のみを通過させる遮蔽手段を配置し、さらに、前記入力側の前記遮蔽手段に入力する信号を受け付けて、前記周波数の高いキャリア信号のみを通過させ、当該キャリア信号を前記遮蔽手段の前記音声帯域信号の出力側に出力するバイパス手段を、前記配線新設困難区間よりも前記音声帯域通信装置側に配置することを特徴とする構内配線方法である。
【００１３】
また本発明は、音声帯域信号の伝送のみを補償する音声帯域通信装置と、その音声帯域通信装置との間で音声帯域信号の通信を回線を介して行なう音声帯域通信端末とが、配線新設困難区間を隔てて配置された既存の構内通信設備に、前記音声帯域信号と共に前記音声帯域信号よりも周波数の高いキャリア信号の通信を行なわせた構内配線装置であって、
前記配線新設困難区間より前記音声帯域通信端末側に配置され、キャリア信号通信装置との前記キャリア信号の通信および前記音声帯域通信端末との前記音声帯域信号の通信とを行ない、それらキャリア信号と音声帯域信号とを周波数多重して前記音声帯域通信装置へ出力し、また前記周波数多重された信号を前記キャリア信号と前記音声帯域信号とに分離した後、キャリア信号を前記キャリア信号通信装置へ出力し、音声帯域信号を前記音声帯域通信端末に出力する、周波数多重分離手段と、前記音声帯域通信装置の入力側と出力側のそれぞれに配置され、周波数の低い前記音声帯域信号のみを通過させる遮蔽手段と、
前記配線新設困難区間よりも前記音声帯域通信装置側に配置され、前記入力側の前記遮蔽手段に入力する信号を受け付けて、前記周波数の高いキャリア信号のみを通過させ、当該キャリア信号を前記遮蔽手段の前記音声帯域信号の出力側に出力するバイパス手段とからなる構内配線装置である。
【００１４】
また本発明は、前記構内配線装置において、前記遮断手段は、音声帯域通信装置に対して直列に接続されたローパスフィルタであり、前記バイパス手段は、音声帯域通信装置に対して並列に接続されたハイパスフィルタであることを特徴とする。
【００１５】
なお、上記音声帯域信号とは、例えば、周波数帯域４ｋＨｚまでの周波数帯域を使用する電話の音声信号であり、また、デジタルデータのキャリア信号とは、例えば、ｘＤＳＬ信号、すなわち、ｘＤＳＬ技術で高速デジタルデータ通信に用いられる、周波数帯域が３０ｋＨｚ〜１ＭＨｚで、ＱＡＭ（デジタル直行振幅変調）変調方式によりデジタルデータをキャリア信号に乗せてアナログ信号に変換した信号である。また、音声帯域通信装置としては、例えば、ＮＣＣアダプタ、各種警報信号出力装置、構内交換機等がある。また、音声帯域通信端末としては、各種警報器（ブザー、表示器等）、電話機等がある。さらに、高速デジタル通信装置としては、例えば、ｘＤＳＬ信号用のモデム等がある。
【００１６】
上記発明によれば、局側から出力された多重信号、および、音声帯域通信端末と高速デジタル通信装置とから各々出力された音声帯域信号とデジタルデータのキャリア信号の多重信号のうち、音声帯域信号のみが音声帯域通信装置を通過し、デジタルデータのキャリア信号は音声帯域通信装置を迂回する。そして、音声帯域通信装置を通過した音声帯域信号と、音声帯域通信装置を迂回したデジタルデータのキャリア信号とが合成された後、音声帯域通信端末および高速デジタル通信装置、または、局側へと出力される。
【００１７】
より具体的には、音声帯域通信装置に対して直列に接続されたローパスフィルタにより、デジタルデータのキャリア信号の音声帯域通信装置への入射が遮断され、音声帯域信号のみが音声帯域通信装置を通過する。また、音声帯域通信装置に対して並列に接続されたハイパスフィルタにより、音声帯域信号の迂回が阻止され、デジタルデータのキャリア搬送信号のみがハイパスフィルタを通過して音声帯域通信装置を迂回した後、双方の信号が合成される。
【００１８】
これにより、上記デジタルデータのキャリア信号は、音声帯域通信装置を通過することによる挿入損失の影響を受けることがなく、また、音声帯域通信装置は、上記キャリア信号の入射による悪影響を受けることがない。
【００１９】
【発明の実施の形態】
以下、図面を参照して、本発明に係る構内配線方法および構内配線装置の実施の形態について説明する。図１は、本実施形態の構成を示すブロック図である。この図において、図４に示した構成と同一の構成については、同じ符号を付与し、その説明を省略する。なお、図１において、点線で示す配線は、高速デジタルデータ通信を可能とするために新たに追加する配線を示している。
【００２０】
図１に示す構成が図４と異なる点は、音声帯域通信装置１０の入出力側にそれぞれローパスフィルタ（以下、ＬＰＦという）１，２（遮断手段）が設けられ、さらに、音声帯域通信装置１０に対して並列にハイパスフィルタ（以下、ＨＰＦという）３（バイパス手段）が接続されている点である。ここで、ＨＰＦ３の各入出力端は、ＬＰＦ１よりも局側と、ＬＰＦ２よりもＰＯＴＳスプリッタ１２側とに、それぞれ接続されている。
【００２１】
また、ＬＰＦ１，２の通過帯域は、音声帯域通信装置１０に入力される音声帯域信号を通過させ、かつ、ｘＤＳＬ信号（デジタルデータのキャリア信号）の通過を阻止するように設定されている。また、ＨＰＦ３の通過帯域は、ｘＤＳＬ信号を通過させ、かつ、音声帯域信号を阻止するように設定されている。さらに、ＬＰＦ１，２およびＨＰＦ３は、双方向で、すなわち、局側からＰＯＴＳスプリッタ１２側へ出力される多重信号およびＰＯＴＳスプリッタ１２側から局側へ出力される多重信号の双方に対して、それぞれ、ローパスフィルタおよびハイパスフィルタとして機能する。
【００２２】
上記の構成によれば、局側から入力された多重信号のうち、音声帯域信号は、ＬＰＦ１を通過し、音声帯域通信装置１０を経た後、ＬＰＦ２を通過し、ＨＰＦ３を通過した（すなわち、音声帯域通信装置１０を迂回した）ｘＤＳＬ信号と合成されて、ＰＯＴＳスプリッタ１２へ出力される。この時、ＨＰＦ３を通過したｘＤＳＬ信号は、ＬＰＦ２により、音声帯域通信装置１０への入射が阻止される。
【００２３】
また、音声帯域通信端末１１から出力された音声帯域信号と、ユーザ端末１４からｘＤＳＬ宅内装置１３を経て出力されるｘＤＳＬ信号は、ＰＯＴＳスプリッタ１２により周波数多重されて、多重信号として局側へ出力される。そして、この時の多重信号についても、ＰＯＴＳスプリッタ１２から出力された多重信号のうち、音声帯域信号は、ＬＰＦ２を通過して音声帯域通信装置１０を経た後ＬＰＦ１を通過し、ＨＰＦ３を通過したｘＤＳＬ信号と合成されて、局側へ出力される。この場合も、ＨＰＦ３を通過したｘＤＳＬ信号は、ＬＰＦ１により、音声帯域通信装置１０への入射が阻止される。
【００２４】
次に、図１に示した構成を、図３に示すような既存の音声帯域通信設備に適用して、ｘＤＳＬ技術により、音声帯域信号を用いた通信と、高速デジタルデータ通信とを同時に可能とした場合の構成を図２に示す。図２に示すように、本実施形態は、
（１）既存の音声帯域通信装置１０が、ＰＯＴＳスプリッタ１２よりも局側に設置されており、すなわち、音声帯域通信装置１０に音声帯域信号とｘＤＳＬ信号の多重信号が供給され、
（２）ｘＤＳＬ宅内装置１３の設置場所が、構内配線新設困難区間を隔てて音声帯域通信端末１１側に設置され、
（３）音声帯域通信装置１０と、音声帯域通信端末１１との間に、構内ケーブルを新設するのが非常に困難な場合、
に有効である。
【００２５】
このように、本実施形態においては、構内配線新設困難区間に構内ケーブルを追加することなく、既存の構内ケーブルをそのまま利用し、ｘＤＳＬ技術を用いた音声帯域通信および高速デジタルデータ通信の双方を、同時に実現することができる。
【００２６】
【発明の効果】
以上説明したように、本発明によれば、構内配線新設困難区間を挟んで音声帯域通信装置と音声帯域通信端末とが設置されている状況下で、ｘＤＳＬ宅内装置を音声帯域通信端末側に追加することにより、音声帯域通信および高速デジタルデータ通信の双方を同時に実現する場合においても、構内配線新設困難区間に構内ケーブルを新設することなく、音声帯域通信、高速データ通信の双方を同時に、かつ、お互いに影響を与えることなく実現することができる。
【図面の簡単な説明】
【図１】本発明の一実施形態の構成を示すブロック図である。
【図２】同実施形態の構成を図３に示す音声帯域通信設備に適用した場合の構成を示すブロック図である。
【図３】ｘＤＳＬ技術が適用される既存の音声帯域通信設備の構成を示すブロック図である。
【図４】図３に示す既存の音声帯域通信設備にｘＤＳＬ技術を適用して高速データ通信も可能とした場合の通信設備の構成を示すブロック図である。
【図５】図３に示す既存の音声帯域通信設備にｘＤＳＬ技術を適用して高速データ通信も可能とした場合の通信設備の、他の構成を示すブロック図である。
【符号の説明】
１，２    ローパスフィルタ
３        ハイパスフィルタ
１０      音声帯域通信装置
１１      音声帯域通信端末
１２      ＰＯＴＳスプリッタ
１３      ｘＤＳＬ宅内装置
１４      ユーザ端末
【図１】
0003549769.tif 000002
【図２】
0003549769.tif 000003
【図３】
0003549769.tif 000004
【図４】
0003549769.tif 000005
【図５】
0003549769.tif 000006